(57)【要約】【課題】  高階調の画像データを有効活用すること。【解決手段】  １６ビット階調のＲＡＷデータが示す画像内で、撮影者が指定した被写体がある箇所を特定する情報を取得させ、前記撮影者が指定した被写体がある箇所が適切な輝度値となるように、前記ＲＡＷデータが示す画像の輝度値の階調を補正するようにした。その結果、拡張画像ファイル形式を利用してコントラスト比が大きい画像を撮像・保存することができる。また、予め定められた一定輝度値を表示体で表現可能な階調の中間値として前記画像の輝度値の階調を補正する方法と異なり、ＲＡＷデータの有する高い階調を有効活用することができる。【選択図】  図６
2006080942.tif 000002
【特許請求の範囲】
【請求項１】
所定の撮像装置で生成された画像データが示す画像の輝度値の階調を補正する画像処理装置であって、
前記画像データが示す画像内の所定箇所を特定する情報及び当該所定箇所における輝度値に関する情報の少なくとも一方と前記画像データとを取得する取得手段と、その取得された情報で特定される前記所定箇所における輝度値の平均値を基準値として、前記画像データが示す画像の輝度値の階調を補正する補正手段とを備えることを特徴とする画像処理装置。
【請求項２】
前記所定箇所は、撮影時に指定された領域であることを特徴とする請求項１に記載の画像処理装置。
【請求項３】
前記所定箇所は、前記画像において予め設定されている領域であることを特徴とする請求項１に記載の画像処理装置。
【請求項４】
所定の撮像装置で生成された画像データが示す画像の輝度値の階調を補正する画像処理プログラムであって、
前記画像データが示す画像内の所定箇所を特定する情報及び当該所定箇所における輝度値に関する情報の少なくとも一方と前記画像データとを取得する取得機能と、その取得された情報で特定される前記所定箇所における輝度値の平均値を基準値として、前記画像データが示す画像の輝度値の階調を補正する補正機能とをコンピュータに実行させることを特徴とする画像処理プログラム。
【請求項５】
所定の撮像装置で生成された画像データが示す画像の輝度値の階調を補正する画像処理方法であって、
前記画像データが示す画像内の所定箇所を特定する情報及び当該所定箇所における輝度値に関する情報の少なくとも一方と前記画像データとを取得し、その取得された情報で特定される前記所定箇所における輝度値の平均値を基準値として、前記画像データが示す画像の輝度値の階調を補正することを特徴とする画像処理方法。
【請求項６】
撮像画像の画像データを生成する撮像装置であって、所定の測光領域における輝度値の平均値が目的とするコントラスト比に基づいて設定された露出基準値と一致するように露出制御を行う露出制御手段と、前記測光領域を特定する情報及び前記測光領域における輝度値の平均値の少なくとも一方を対応づけて画像データを生成する画像データ生成手段とを備えたことを特徴とする撮像装置。
【発明の詳細な説明】
【技術分野】
【０００１】
本発明は、所定の撮像装置で撮像された画像データが示す画像の輝度値の階調を補正する画像処理装置、画像処理プログラム、画像処理方法及び撮像装置に関する。
【背景技術】
【０００２】
従来、デジタルカメラ等の撮像装置は、画像全体の輝度値の平均値が、撮像素子の出力ダイナミックレンジの１８％となるように（当該画像のコントラスト比が１８：１００となるように）露出制御を行うことで、高階調（例えば、１３ビット階調）のＲＡＷデータを生成するようになっていた。そして、撮像装置は、その生成されたＲＡＷデータが示す画像の最大輝度値の１８％の輝度値（当該画像のコントラスト比に応じた輝度値）を基準値とし、その基準値を、パソコンのディスプレイで表現可能な階調（例えば、８ビット階調）の中間値の輝度値とする所定のトーンカーブを用いることで、前記ＲＡＷデータが示す画像の輝度値の階調を、前記ディスプレイで表現可能な階調の範囲内に割り当て（レベル圧縮）、８ビットの画像データ（例えば、ＪＰＥＧ形式の画像データ）を生成するようになっていた（特許文献１参照）。
【特許文献１】特開２０００−９２３７９号公報
【発明の開示】
【発明が解決しようとする課題】
【０００３】
ところで、近年、画像データを１６ビット階調といった高階調でファイリングしようとする動きがある。しかしながら、従来のような露出制御によって高階調の画像データを生成すると、階調性が豊かになるのみで、実質的な画像のコントラスト比は変わらない。
また、高階調の画像データのコントラスト比が不明であると、従来のようなトーンカーブではレベル圧縮を適切に行うことができず、白とびや黒つぶれ、それに伴った色つぶれが生じてしまう恐れがあり、高階調の画像データを有効活用することができなかった。
【０００４】
本発明は、上記従来の技術の未解決の課題を解決することを目的とするものであって、高階調の画像データを有効活用することができる画像処理装置、画像処理プログラム、画像処理方法及び撮像装置を提供することを目的とする。
【課題を解決するための手段】
【０００５】
上記課題を解決するために、第１の発明である画像処理装置は、所定の撮像装置で生成された画像データが示す画像の輝度値の階調を補正する画像処理装置であって、前記画像データが示す画像内の所定箇所を特定する情報及び当該所定箇所における輝度値に関する情報の少なくとも一方と前記画像データとを取得する取得手段と、その取得された情報で特定される前記所定箇所における輝度値の平均値を基準値として、前記画像データが示す画像の輝度値の階調を補正する補正手段とを備えることを特徴とする。なお、輝度値に関する情報としては、輝度値の平均値や中央値、最頻値等を挙げることができる。
【０００６】
また、第２の発明である画像処理装置にあっては、前記所定箇所は、撮影時に指定された領域であることを特徴とする。
さらに、第３の発明である画像処理装置にあっては、前記所定箇所は、前記画像において予め設定されている領域であることを特徴とする。
また、第４の発明である画像処理プログラムは、所定の撮像装置で生成された画像データが示す画像の輝度値の階調を補正する画像処理プログラムであって、前記画像データが示す画像内の所定箇所を特定する情報及び当該所定箇所における輝度値に関する情報の少なくとも一方と前記画像データとを取得する取得機能と、その取得された情報で特定される前記所定箇所における輝度値の平均値を基準値として、前記画像データが示す画像の輝度値の階調を補正する補正機能とをコンピュータに実行させることを特徴とする。
【０００７】
さらに、第５の発明である画像処理方法は、所定の撮像装置で生成された画像データが示す画像の輝度値の階調を補正する画像処理方法であって、前記画像データが示す画像内の所定箇所を特定する情報及び当該所定箇所における輝度値に関する情報の少なくとも一方と前記画像データとを取得し、その取得された情報で特定される前記所定箇所における輝度値の平均値を基準値として、前記画像データが示す画像の輝度値の階調を補正することを特徴とする。
【０００８】
これら第１〜第５の発明によれば、例えば、画像データが示す画像内で、撮影者が指定した被写体がある箇所を特定する情報や、当該箇所における輝度値の平均値を示す情報を取得させることで、前記撮影者が指定した被写体がある箇所が適切な輝度値となるように、前記画像データが示す画像の輝度値の階調を補正することができる。そのため、例えば、撮像素子のダイナミックレンジに対する被写体の輝度値が高い場合にも、明るい部分で白とびしてしまうことを防止することができ、また、前記被写体の輝度値が低い場合にも、暗い部分で黒つぶれしてしまうことを防止することができる。その結果、予め定められた一定輝度値をディスプレイで表現可能な階調の中間値として前記画像の輝度値を補正する方法と異なり、画像データの有する高い階調を有効活用することができる。
【０００９】
また、第６の発明である撮像装置は、撮像画像の画像データを生成する撮像装置であって、所定の測光領域における輝度値の平均値が目的とするコントラスト比に基づいて設定された露出基準値と一致するように露出制御を行う露出制御手段と、前記測光領域を特定する情報及び前記測光領域における輝度値の平均値の少なくとも一方を対応づけて画像データを生成する画像データ生成手段とを備えたことを特徴とする。
【００１０】
この第６の発明によれば、例えば、被写体のコントラスト比が大きい場合には、露出基準値を小さく設定し、且つ、被写体の最暗部を測光領域とすることで、測光領域の輝度値に対する最大輝度値の比を大きくすることができ、撮像画像のコントラスト比を大きくすることができる。また、被写体のコントラスト比が小さい場合には、露出基準値を中間調の輝度値に設定することで、階調性を豊かにすることができる。その結果、予め定められた一定輝度値を露出基準値として露出制御を行う方法と異なり、画像データの有する高い階調を有効活用することができる。
【発明を実施するための最良の形態】
【００１１】
以下、本発明の画像処理装置の実施形態として、任意の画像を撮像し、その撮像結果を表示可能な表示システムのテレビ受像器に適用した例を、図面に基づいて説明する。
即ち、この表示システムにあっては、まず、デジタルカメラで、被写体のＲＡＷデータと露出制御の測光領域を示す情報とを含むファイルを生成し、そのファイルを記録媒体に格納させる。次いで、テレビ受像器で、その記録媒体に格納されているファイルから前記ＲＡＷデータと前記測光領域を示す情報とを抽出し、その情報で特定される測光領域の輝度値の平均値を、表示部で表現可能な階調の中間値の輝度値として、前記画像の輝度値の階調を補正し、前記表示部に前記画像を適切に表示させることができるようにした。
【００１２】
＜表示システムの構成＞
図１は、本実施形態の表示システムの構成を示すブロック図である。この図１に示すように、表示システム１は、本発明のデジタルカメラ２、記録媒体３及びテレビ受像器４を含んで構成される。
【００１３】
また、デジタルカメラ２は、図２に示すように、撮像部５、記録部６及びビデオメモリ７を含んで構成される。
さらに、撮像部５は、図３に示すように、アナログ・デジタル映像信号処理本線８、測光及び露出制御部９、デジタルカメラ撮影制御ブロック１０及びデジタル信号処理ロジック１１を含んで構成される。
【００１４】
アナログ・デジタル映像信号処理本線８は、まず、被写体からの光をレンズ１２で集め、その光をイメージセンサ１３で電気信号に変換する。次いで、アナログ・デジタル映像信号処理本線８は、その変換された電気信号をＰＧＡ１４で増幅し、その電気信号をＡＤＣ(Analog-to-Digital Converter)１５でデジタル化して、１２ビット（４０９６階調）の画像データ（各画素の輝度値を示す情報を含むデータ、ＲＡＷデータ）を生成する。そして、アナログ・デジタル映像信号処理本線８は、その生成された１２ビットのＲＡＷデータを測光及び露出制御部９とデジタル信号処理ロジック１１とに出力する。なお、本実施形態では、イメージセンサ１３として、７２ｄｂ以上（１２ビット相当）のダイナミックレンジがあるもの、つまり、通常のイメージセンサ（例えば、６０ｄｂ（１０ビット相当））の４倍以上も広いダイナミックレンジがあるものを用いるものとする。
【００１５】
また、アナログ・デジタル映像信号処理本線８は、所定の撮像操作がされると、測光及び露出制御部９のシャッタ速度・ゲイン設定部１７（後述）によって設定されるシャッタ速度でイメージセンサ１３に露出制御を行って、被写体のＲＡＷデータを生成する。
さらに、測光及び露出制御部９は、まず、デジタルカメラ撮影制御ブロック１０から出力される測光領域タイミング信号（後述）に基づいて、アナログ・デジタル映像信号処理本線８のＡＤＣ１５から出力されるＲＡＷデータが示す画像内に、撮影者が指定している被写体のある領域を検出して設定し、その設定された領域（以下、「測光領域」とも呼ぶ。）における輝度値の平均値（以下、「測光値」とも呼ぶ。）を輝度測光ロジック１６で検出し、その検出された測光値を、デジタル信号処理ロジック１１とシャッタ速度及びシャッタ速度・ゲイン設定部１７とに出力する。次いで、その出力された測光値が、デジタルカメラ撮影制御ブロック１０から出力される露出基準値（後述）と一致するように、イメージセンサ１３のシャッタ速度をシャッタ速度・ゲイン設定部１７で設定する。なお、撮影者が指定している被写体の領域を検出する方法としては、被写体の撮影時に、撮影者の注視していた領域を当該被写体の領域として検出する方法が挙げられる。また、撮影者が指定している被写体の領域を検出し、その領域の輝度値の平均値を測光値とする方法を示したが、これに限られるものではない。例えば、測光方式が予め中央重点測光と決められている場合には、撮影者が注視していた領域を検出することなく、中央の画素領域における輝度値の平均値を検出してそのまま測光値とする方法等を挙げることができる。
【００１６】
また、デジタルカメラ撮影制御ブロック１０は、ＡＤＣ１５から出力されるＲＡＷデータが示す画像内の測光領域を示す測光領域タイミング信号を輝度測光ロジック１６に出力する。また、デジタルカメラ撮影制御ブロック１０は、目的とするコントラスト比に応じた露出基準値をシャッタ速度・ゲイン設定部１７に出力する。具体的には、目的とするコントラスト比を入力する操作として、そのコントラスト比が小さいことを表す操作が行われた場合には、被写体の輝度値をイメージセンサ１３のダイナミックレンジの１８％とする露出基準値を出力する。また、目的とするコントラスト比が大きいことを表す操作が行われた場合には、被写体の輝度値をイメージセンサ１３のダイナミックレンジの５％とする露出基準値を出力する。これにより、コントラスト比の大きい被写体を撮影する場合、コントラスト比の小さい被写体を撮影する場合に比べて約４倍（１８／５）のダイナミックレンジの画像を得ることができる。また、本実施形態で用いているイメージセンサ１３は、通常のイメージセンサ（６０ｄｂ）に比して、４倍のダイナミックレンジ（７２ｄｂ）を有するので、ダイナミックレンジの５％以下においても前記通常のイメージセンサと同じ階調性を保っている。なお、露出基準値は、被写体のコントラスト比に応じて適応的に切替えることで、更なる高画質化が可能である。さらに、デジタルカメラ撮影制御ブロック１０は、前記画像内における測光領域を示す情報（測光領域に対応する画素領域の中心位置を示す情報や測光領域のサイズを示す情報）を記録部６に出力する。
【００１７】
さらに、デジタル信号処理ロジック１１は、ＡＤＣ１５から出力される１２ビットのＲＡＷデータをデジタル信号処理（例えば、レンズ１２の特性により発生するシェーディング現象を補正する処理や、ノイズ除去処理等、デジタルカメラ２の個体差を吸収する処理）して、１６ビットのＲＡＷデータを生成し、その生成された１６ビットのＲＡＷデータを記録部６に出力する。また、デジタル信号処理ロジック１１は、輝度測光ロジック１６から出力される測光値を１６ビット化して、測光領域レベルとして記録部６に出力する。
【００１８】
一方、記録部６は、図２に示すように、撮像部５（デジタルカメラ撮影制御ブロック１０及びデジタル信号処理ロジック１１）から出力される１６ビットのＲＡＷデータをビデオメモリ７に格納させる。そして、記録部６は、そのビデオメモリ７にＲＡＷデータが１フレーム分格納されると、図４に示すように、そのＲＡＷデータを、デジタル信号処理ロジック１１から出力される測光領域平均レベルや、デジタルカメラ撮影制御ブロック１０から出力される測光領域を示す情報と共に、未圧縮の状態でまとめて１つのファイル（以下、「拡張画像形式ファイル」とも呼ぶ。）を生成して、記録媒体３に格納させる。
【００１９】
一方、記録媒体３は、デジタルカメラ２やテレビ受像器４（記録媒体インタフェース１８）とデータ授受可能に構成される。そして、記録媒体３は、デジタルカメラ２（記録部６）から書き込み要求が出力されると、デジタルカメラ２で生成された拡張画像形式ファイルを格納する。また、記録媒体３は、テレビ受像器４から読み出し要求が出力されると、記録媒体３に格納されている拡張画像形式ファイルをテレビ受像器４に出力する。
【００２０】
また一方、テレビ受像器４は、図５に示すように、記録媒体インタフェース１８、レベル補正演算処理装置１９及び表示部２０を含んで構成される。
記録媒体インタフェース１８は、デジタルカメラ２で生成された拡張画像形式ファイルを格納する記録媒体３を着脱可能に構成される。そして、記録媒体インタフェース１８は、その記録媒体３がデータ授受可能に取り付けられると、その取り付けられた記録媒体３から拡張画像形式ファイルを読み出して、レベル補正演算処理装置１９に出力する。
【００２１】
また、レベル補正演算処理装置１９は、マイクロコンピュータとその周辺部品とを備えている。そして、レベル補正演算処理装置１９は、記録媒体インタフェース１８から拡張画像形式ファイルが出力されると、まず、その出力された拡張画像形式ファイルから露出制御の測光領域を示す情報とＲＡＷデータとを抽出する。つまり、本実施形態では、テレビ受像器４が測光領域を知ることができ、画像表示において、その領域を高画質すなわち階調性よく表示するよう動作する。以降、この高画質表示のためのレベル補正演算処理装置１９におけるトーンカーブ生成方法を記述する。なお、トーンカーブ生成にあたり、測光領域の画素値を利用すれば、そのカーブの特性は如何様にしてもよい。
【００２２】
レベル補正演算処理装置１９は、前記抽出された情報で測光領域の輝度値の平均値を特定する。次いで、その特定された輝度値の平均値を、表示部２０で表現可能な階調の中間値の輝度値とするトーンカーブを設定し、その設定されたトーンカーブで前記ＲＡＷデータが示す画像の輝度値の階調を補正し、その補正結果を表示部２０に出力する。具体的には、レベル補正演算処理装置１９は、図６に示すように、専用のハードウェアによる装置と図示しないマイクロコンピュータのソフトウェア形態により構成され、具体的には、ファイル内容解釈部２１、測光領域平均レベル算出部２２、トーンカーブ設定部２３及びトーンカーブ補正部２４を含んで構成される。
【００２３】
ファイル内容解釈部２１は、記録媒体インタフェース１８から出力された拡張画像形式ファイルから測光領域を示す情報とＲＡＷデータとを抽出する。そして、ファイル内容解釈部２１は、その測光領域を示す情報を測光領域平均レベル算出部２２に出力し、また、ＲＡＷデータを測光領域平均レベル算出部２２とトーンカーブ補正部２４とに出力する。
また、測光領域平均レベル算出部２２は、ファイル内容解釈部２１から出力される測光領域を示す情報とＲＡＷデータとに基づいて、そのＲＡＷデータが示す画像内で当該測光領域に対応する画素領域における輝度値の平均値と当該画像全体における最大輝度値とを算出し、その算出された平均値と最大輝度値とをトーンカーブ設定部２３に出力する。
【００２４】
さらに、トーンカーブ設定部２３は、図７に示すように、測光領域平均レベル算出部２２から出力される最大輝度値と平均値とに基づき、その平均値の輝度値を入力側の基準値（例えば、百分率換算で１８％）とし、その基準値を出力側の最大値（表示部２０の表示体（後述）で表現可能な階調、例えば、２５５）の中間値として、１６ビット（６５５３６階調）のＲＡＷデータが示す画像を８ビット（２５６階調）に補正可能なトーンカーブを生成し、その生成されたトーンカーブをトーンカーブ補正部２４で用いられるトーンカーブに設定する。なお、この処理はマイクロコンピュータのソフトウエア形態で実現する。具体的には、トーンカーブＤioutは、測光領域平均レベル算出部２２から出力される輝度値の平均値Pixave及び最大輝度値Ｐixmaxと、ファイル内容解釈部２１から出力される１６ビットのＲＡＷデータが示す画像の各画素の輝度値Ｐixinとに基づいて、下記（１）（２）式に示すように設定される。
【００２５】
Pixin≦Ｐix100%（＝Pixave／０．１８）である場合：
ＤiOut＝ＰixIn×０．１８／Ｐixave  ………（１）
Pixin＞Ｐix100%である場合：
ＤiOut＝Ｃknee×（Ｐixin−Pix100%）＋DiOut100%  ………（２）
Ｃknee＝２５／（Ｐixmax―Ｐix100%）
但し、DiOut100%は、上記（１）式におけるＰix100%でのDiOutである。
【００２６】
また、トーンカーブ補正部２４は、トーンカーブ設定部２３で設定されたトーンカーブで、ファイル内容解釈部２１から出力される画像データが示す画像の輝度値の階調を１６ビットから８ビットに補正し、その補正された画像データを表示部２０に出力する。
さらに、表示部２０は、図５に示すように、テレビ放送で受信した画像に加え、８ビット（２５６階調）の画像データが示す画像を表現可能な表示体（不図示）を含んで構成される。そして、表示部２０は、レベル補正演算処理装置１９（トーンカーブ補正部２４）から８ビットの画像データが出力されると、その出力された画像データを、表示体（不図示）の表現可能な階調全体を用いて当該表示体（不図示）に表示させる。なお、本実施例では、表示体（不図示）の出力階調を８ビットとする例を示したが、これに限られるものではなく、例えば、１０ビット等、８ビットとは異なる階調としてもよい。
【００２７】
＜テレビ受像器の具体的な動作＞
次に、本実施形態の表示システム１の動作を、具体的状況に基づいて詳細に説明する。
まず、コントラスト比が大きい被写体を撮像するときに、目的とするコントラスト比が大きいことを表す操作を行ったとする。すると、図１に示すように、デジタルカメラ２によって、被写体の輝度値をイメージセンサ１３のダイナミックレンジの例えば５％とする露出制御が行われて、前記被写体の輝度値の約２０倍までの輝度値を表現可能な１６ビットのＲＡＷデータが生成され、そのＲＡＷデータと露出補正制御の測光領域を示す情報とを含む拡張画像形式ファイルが記録媒体３に格納される。次いで、その記録媒体３をテレビ受像器４の記録媒体インタフェース１８に挿入したとする。すると、記録媒体インタフェース１８によって、図５に示すように、その挿入された記録媒体３から拡張画像形式ファイルが読み出され、その拡張画像形式ファイルがレベル補正演算処理装置１９のファイル内容解釈部２１に出力される。
【００２８】
そして、ファイル内容解釈部２１によって、図６に示すように、記録媒体インタフェース１８から出力された拡張画像形式ファイルから測光領域を示す情報とＲＡＷデータとが抽出され、その抽出された測光領域を示す情報が測光領域平均レベル算出部２２に出力され、また、ＲＡＷデータが測光領域平均レベル算出部２２とトーンカーブ補正部２４とに出力される。また、測光領域平均レベル算出部２２によって、その出力された測光領域を示す情報とＲＡＷデータとに基づいて、そのＲＡＷデータが示す画像内で当該測光領域に対応する画素領域における輝度値の平均値と当該画像全体における最大輝度とが算出され、その算出された平均値と最大輝度値とがトーンカーブ設定部２３に出力される。
【００２９】
また、トーンカーブ設定部２３によって、その出力された最大輝度値と平均値とに基づき、その平均値の輝度値が入力側の基準値とされ、その基準値を出力側の最大値の中間値として１６ビットのＲＡＷデータを８ビットに補正可能なトーンカーブが生成され、そのトーンカーブがトーンカーブ補正部２４で用いられるトーンカーブに設定される。さらに、トーンカーブ補正部２４によって、その設定されたトーンカーブで、前記ＲＡＷデータが示す画像の輝度値の階調が１６ビットから８ビットに補正され、その補正されたＲＡＷデータが表示部２０に出力される。そして、表示部２０によって、その出力されたＲＡＷデータが、表示体（不図示）の階調全体を利用して表示体（不図示）に表示される。
【００３０】
このように、本実施形態のデジタルカメラ２にあっては、１６ビットのＲＡＷデータを出力するようにしたため、十分な階調表現能力をもつ。また、測光領域を記録するようにしたため、被写体のコントラスト比が高い場合には、例えば５％を基準に撮影することができ、測光領域の明るさの２０倍まで撮影することができる。そのため、階調性豊かで、且つ、白とびがない画像を撮影することができ、ラチチュードを拡大することができる。なお、その際、測光領域もしくは測光領域レベルが記録され、また、表示側はその値のみ分かれば表示可能なことから、露出制御の露出基準値は、任意の値にすることができる。
【００３１】
ちなみに、測光領域の明るさを、イメージセンサ１３のダイナミックレンジの例えば１８％（固定）とする方法では、撮影画像中の最大の明るさは、測光領域の明るさの約５倍（１００／１８倍）に制限されてしまい、ラチチュードを拡大することができない。
また、本実施形態のテレビ受像器４にあっては、ＲＡＷデータが示す画像内で、露出制御の測光領域を示す情報、つまり、撮影者が指定した被写体がある領域を特定する情報を取得させ、その領域が適切な輝度値となるように、前記ＲＡＷデータが示す画像の輝度値の階調を補正するようにしたため、撮影者の意図を反映した画像表示が可能となり、高画質化が図られる。また、拡張画像形式ファイルに格納されたＲＡＷデータは、１６ビット階調を持つと同時に、本実施形態の測光領域の記録により、コントラスト比の高い画像の撮像・記録ができることから、白とびの無い高画質画像を出力することができる。すなわち、予め定められた一定輝度値を表示体で表現可能な階調の中間値として前記画像の輝度値を補正する方法と異なり、ＲＡＷデータの有する高い階調を有効活用することができる。
【００３２】
以上、図１及び図５のテレビ受像器４、図５のレベル補正演算処理装置１９、図６のファイル内容解釈部２１が特許請求の範囲に記載の取得手段を構成し、同様に、図１及び図５のテレビ受像器４、図５のレベル補正演算処理装置１９、図６の測光領域平均レベル算出部２２、トーンカーブ設定部２３及びトーンカーブ補正部２４が補正手段を構成し、図６のファイル内容解釈部２１が取得機能を構成し、図６の測光領域平均レベル算出部２２、トーンカーブ設定部２３及びトーンカーブ補正部２４が補正機能を構成し、図２の撮像部５、図３の測光及び露出制御部９及びデジタルカメラ撮影制御ブロック１０が露出制御手段を構成し、図２の撮像部５及び記録部６、図３のアナログ・デジタル映像信号処理本線８、デジタルカメラ撮影制御ブロック１０及びデジタル信号処理ロジック１１が画像データ生成手段を構成する。
【００３３】
なお、本発明の画像処理装置、画像処理プログラム、画像処理方法及び撮像装置は、上記実施の形態の内容に限定されるものではなく、本発明の趣旨を逸脱しない範囲で適宜変更可能である。
例えば、上記実施形態では、露出制御の測光領域を示す情報とＲＡＷデータとを拡張画像形式ファイル、つまり、独自形式のファイルにまとめる例を示したが、これに限られるものではない。例えば、ＪＥＩＴＡ（電子情報技術産業協会）規格であるＥＸＩＦや、汎用的に使われるＴＩＦＦの規格を利用して、ＲＡＷデータに測光領域を示す情報を付加するようにしてもよい。さらに、例えば、ＲＡＷデータとは別に、そのＲＡＷデータと１対１で対応するファイルを生成し、そのファイルに測光領域を示す情報を記録するようにしてもよい。その際、測光領域を示す情報としては、測光領域のＸ、Ｙ座標、測光領域の大きさ等を挙げることができる。また、デジタルカメラ２の測光方式が中央重点測光と決まっている場合には、測光領域の半径や、その半径に対する重み係数等を付加してもよい。
【００３４】
また、拡張画像形式ファイルから露出制御の測光領域とＲＡＷデータとを抽出し、その抽出されたＲＡＷデータが示す画像内で当該測光領域に対応する画素領域における輝度値の平均値を算出し、その算出された平均値の輝度値を入力側の基準値とするトーンカーブを設定する例を示したが、これに限られるものではない。例えば、図８に示すように、拡張画像形式ファイルから測光領域レベル、つまり、輝度値の平均値を抽出し、その抽出された平均値の輝度値を入力側の基準値とするトーンカーブを設定するようにしてもよい。
【図面の簡単な説明】
【００３５】
【図１】実施形態における表示システムの内部構成を示すブロック図である。
【図２】図１のデジタルカメラの内部構成を示すブロック図である。
【図３】図２の撮像部の内部構成を示すブロック図である。
【図４】拡張画像形式ファイルを説明するための説明図である。
【図５】図１のテレビ受像器の内部構成を示すブロック図である。
【図６】図５のレベル補正演算処理装置の内部構成を示すブロック図である。
【図７】トーンカーブを説明するための説明図である。
【図８】本発明の変形例を説明するためのブロック図である。
【符号の説明】
【００３６】
１は表示システム、２はデジタルカメラ、３は記録媒体、４はテレビ受像器、５は撮像部、６は記録部、７はビデオメモリ、８はアナログ・デジタル映像信号処理本線、９は露出制御部、１０はデジタルカメラ撮影制御ブロック、１１はデジタル信号処理ロジック、１２はレンズ、１３はイメージセンサ、１４はＰＧＡ、１５はＡＤＣ、１６は階調測光ロジック、１７はシャッタ速度・ゲイン設定部、１８は記録媒体インタフェース、１９はレベル補正演算処理装置、２０は表示部、２１はファイル内容解釈部、２２は測光領域平均レベル算出部、２３はトーンカーブ設定部、２４はトーンカーブ補正部
【図１】
2006080942.tif 000003
【図２】
2006080942.tif 000004
【図３】
2006080942.tif 000005
【図４】
2006080942.tif 000006
【図５】
2006080942.tif 000007
【図６】
2006080942.tif 000008
【図７】
2006080942.tif 000009
【図８】
2006080942.tif 000010